(57)【要約】  三次元映像の左映像及び右映像を交互に入力され、左映像または右映像だけ表示される区間の間、バックライトを点灯する映像表示方法、及び三次元映像の左映像及び右映像を交互に入力され、左映像または右映像だけ表示される区間の間、両サイド・シャッタメガネを開放するシャッタメガネ制御方法が開示されている。
2013516828.tif 000002
【特許請求の範囲】
【請求項１】
三次元映像の左映像及び右映像を交互に入力される段階と、
バックライトを点灯及び消灯する段階と、を含み、
前記バックライトを点灯及び消灯することによって、
前記バックライトは、前記左映像が表示される区間の間でのみ点灯され、前記右映像が表示される間では消灯されるか、
前記バックライトは、前記右映像が表示される区間の間でのみ点灯され、前記左映像が表示される区間の間では消灯される映像表示方法。
【請求項２】
前記三次元映像で、互いに対応する１対の左映像及び右映像は、２つの左映像及び２つの右映像を順次に含むことを特徴とする請求項１に記載の映像表示方法。
【請求項３】
前記バックライト点灯及び消灯する段階は、前記バックライトを点灯及び消灯することによって、
前記バックライトは、前記２つの左映像のうち、いずれか一つが表示される区間の間でのみ点灯され、前記２つの左映像のうち、いずれか他の映像が表示される区間の間では消灯されるか、
前記バックライトは、前記２つの右映像のうち、いずれか一つが表示される区間の間でのみ点灯され、前記２つの右映像のうち、いずれか他の映像が表示される区間の間では消灯させることを特徴とする請求項２に記載の映像表示方法。
【請求項４】
前記三次元映像で、互いに対応する１対の左映像及び右映像は、前記左映像、ブラック映像、前記右映像、ブラック映像の順序でなされたことを特徴とする請求項１に記載の映像表示方法。
【請求項５】
前記三次元映像で、互いに対応する１対の左映像及び右映像は、前記左映像、前記左映像のホールド映像、前記右映像、前記右映像のホールド映像の順序でなされ、
前記ホールド映像は、以前左映像または以前右映像のデータ電圧をそのまま維持する映像のことを特徴とする請求項１に記載の映像表示方法。
【請求項６】
前記バックライトを点灯及び消灯する段階は、前記バックライトを点灯及び消灯することによって、
前記バックライトは、前記左映像が表示されるか、あるいは前記左映像及び前記左映像のホールド映像が表示されるか、あるいは前記左映像のホールド映像が表示される区間の間でのみ点灯されるか、
前記バックライトは、前記右映像が表示されるか、あるいは前記右映像及び前記右映像のホールド映像が表示されるか、あるいは前記右映像のホールド映像が表示される区間の間でのみ点灯されることを特徴とする請求項５に記載の映像表示方法。
【請求項７】
前記三次元映像で、互いに対応する１対の左映像及び右映像は、３つの左映像及び前記右映像を順次に含むことを特徴とする請求項１に記載の映像表示方法。
【請求項８】
前記三次元映像で、互いに対応する１対の左映像及び右映像は、４つの左映像及び４つの右映像を順次に含むことを特徴とする請求項１に記載の映像表示方法。
【請求項９】
前記バックライトを点灯及び消灯する段階は、垂直同期（Ｖ−ｓｙｎｃ）信号に同期し、前記バックライトを点灯及び消灯することを特徴とする請求項１に記載の映像表示方法。
【請求項１０】
前記バックライト点灯段階は、ＳＴＶ（start  vertical）信号またはＣＰＶ（clock  pulse  vertical）信号に同期し、前記バックライトを点灯することを特徴とする請求項１に記載の映像表示方法。
【請求項１１】
前記バックライトを点灯及び消灯する段階は、発生するクロストーク量によって、前記バックライトを点灯する時間を延長したり短縮し、前記バックライトを点灯することを特徴とする請求項１に記載の映像表示方法。
【請求項１２】
前記バックライトを点灯する段階は、前記バックライトをバックライト・スキャニング方式によって点灯する段階を含むことを特徴とする請求項１に記載の映像表示方法。
【請求項１３】
ディスプレイパネルと、
前記ディスプレイパネルに三次元映像の左映像及び右映像を出力するディスプレイパネル制御部と、
前記左映像または右映像だけ表示される区間の間、バックライトを点灯及び消灯するバックライト制御部と、を含み、
前記バックライトを点灯及び消灯することによって、
前記バックライトは、前記左映像が表示される区間の間でのみ点灯され、前記右映像が表示される間では消灯されるか、
前記バックライトは、前記右映像が表示される区間の間でのみ点灯され、前記左映像が表示される区間の間では消灯される映像表示装置。
【請求項１４】
請求項１ないし請求項１２のうちいずれか一項に記載の映像表示方法を具現するためのプログラムが記録されたコンピュータで判読可能な記録媒体。
【発明の詳細な説明】
【技術分野】
【０００１】
本発明は、三次元（３Ｄ）映像表示方法及びシャッタメガネ制御方法、並びにその装置に係り、さらに詳細には、三次元映像を二次元（２Ｄ）映像のように視聴することができる三次元映像表示方法及びシャッタメガネ制御方法、並びにその装置に関する。
【背景技術】
【０００２】
立体で映像を見せることができる三次元映像ディスプレイ装置が開発されている。立体映像は、両眼のステレオ視覚原理によって構成されるが、両眼が約６５ｍｍほど離れて存在するために現れる両眼視差（binocular  parallax）が、立体感の最も重要な要因であると言える。目に見える実際映像と同じ映像を両眼にそれぞれ見せることによって、立体感が表現される。このために、同じ２台のカメラを両眼間隔ぐらい広げておいて撮影した後、左側カメラで撮った映像は、左目にだけ見られるようにし、右側カメラ映像は、右目だけが見ることができる。
【０００３】
立体映像ディスプレイ装置には、メガネを利用したディスプレイと、無メガネ方式のディスプレイとがある。メガネを利用したディスプレイ方式には、偏光メガネ方式やシャッタメガネ方式などがあり、メガネを使用せずに、左右映像を分離して立体映像を得る無メガネ式のディスプレイ方式には、パララックス・バリア（parallax  barrier）方式、レンチキュラー（lenticular）方式、インテグラル・イメージング（integral  imaging）方式、ホログラフィ（holography）方式などがある。
【０００４】
メガネを利用した三次元ディスプレイ方式のうち、シャッタメガネ方式は、液晶シャッタが設置されたメガネ、すなわち、液晶シャッタメガネを利用して立体映像を具現する。このような液晶シャッタメガネ方式は、６０Ｈｚの周波数期間の間、左目と右目とにそれぞれ異なる映像を見せる。液晶シャッタメガネ方式を利用した立体映像表示装置は、左映像及び右映像を交互に早くディスプレイし、液晶シャッタを左右交互に開閉する。
【発明の概要】
【発明が解決しようとする課題】
【０００５】
本発明が解決しようとする技術的課題は、三次元映像を二次元映像のように視聴するための三次元映像表示方法及びその装置と、シャッタメガネ制御方法及びその装置とを提供するところにある。
【課題を解決するための手段】
【０００６】
前記技術的課題を解決するための本発明の一実施形態によって、三次元映像表示方法は、三次元映像の左映像及び右映像を交互に入力される段階と、前記左映像または右映像だけ表示される区間の間、バックライトを点灯する段階と、を含む。
【０００７】
前記三次元映像で、互いに対応する１対の左映像及び右映像は、左映像、左映像、右映像、右映像の順序でなされてもよい。
【０００８】
前記バックライト点灯段階は、前記１ペアの左映像及び右映像のうち、いずれか１つの前記左映像または前記右映像だけ表示される区間の間、前記バックライトを点灯する段階を含んでもよい。
【０００９】
前記三次元映像で、互いに対応する１対の左映像及び右映像は、左映像、ブラック映像、右映像、ブラック映像の順序でなされてもよい。
【００１０】
前記三次元映像で、互いに対応する１対の左映像及び右映像は、左映像、左映像のホールド映像、右映像、右映像のホールド映像の順序でなされ、前記ホールド映像は、以前左映像または右映像のデータ電圧をそのまま維持する映像であってもよい。
【００１１】
前記バックライト点灯段階は、前記左映像及び前記左映像のホールド映像のうち、少なくとも１つの映像だけ表示される区間の間、前記バックライトを点灯したり、あるいは前記右映像及び前記右映像のホールド映像のうち、少なくとも１つの映像だけ表示される区間の間、前記バックライトを点灯する段階を含んでもよい。
【００１２】
前記三次元映像で、互いに対応する１対の左映像及び右映像は、左映像、左映像、左映像、右映像の順序でなされてもよい。
【００１３】
前記三次元映像で、互いに対応する１対の左映像及び右映像は、４つの連続的した左映像及び４つの連続的した右映像の順序でなされてもよい。
【００１４】
前記バックライト点灯段階は、垂直同期（Ｖ−ｓｙｎｃ）信号に同期し、前記バックライトを点灯することができる。
【００１５】
前記バックライト点灯段階は、ＳＴＶ（start  vertical）信号またはＣＰＶ（clock  pulse  vertical）信号に同期し、前記バックライトを点灯することができる。
【００１６】
前記バックライトを点灯する段階は、発生するクロストーク量によって、前記バックライトを点灯する時間を変更して点灯する段階を含んでもよい。
【００１７】
前記バックライトを点灯する段階は、前記バックライトをバックライト・スキャニング方式によって点灯する段階を含んでもよい。
【００１８】
前記技術的課題を解決するための本発明の他の実施形態によって、三次元映像の左映像のためのシャッタメガネ及び右映像のためのシャッタメガネを具備したシャッタメガネを制御する方法は、三次元映像の左映像及び右映像を交互に入力される段階と、前記左映像または右映像だけ表示される区間の間、両サイド・シャッタメガネを開放することを含む。
【００１９】
前記両サイド・シャッタメガネを開放する段階は、前記１ペアの左映像及び右映像のうち、いずれか１つの前記左映像または前記右映像だけ表示される区間の間、前記両サイド・シャッタメガネを開放する段階を含んでもよい。
【００２０】
前記両サイド・シャッタメガネを開放する段階は、前記左映像及び前記左映像のホールド映像のうち、少なくとも１つの映像だけ表示される区間の間、前記両サイド・シャッタメガネを開放したり、あるいは前記右映像及び前記右映像のホールド映像のうち、少なくとも１つの映像だけ表示される区間の間、前記両サイド・シャッタメガネを開放する段階を含んでもよい。
【００２１】
前記両サイド・シャッタメガネを開放する段階は、垂直同期（Ｖ−ｓｙｎｃ）信号に同期し、前記両サイド・シャッタメガネを開放することができる。
【００２２】
前記両サイド・シャッタメガネを開放する段階は、ＳＴＶ（start  vertical）信号またはＣＰＶ（clock  pulse  vertical）信号に同期し、前記両サイド・シャッタメガネを開放することができる。
【００２３】
前記両サイド・シャッタメガネを開放する段階は、発生するクロストーク量によって、前記両サイド・シャッタメガネを開放する時間を変更して開放する段階を含んでもよい。
【００２４】
前記両サイド・シャッタメガネを開放する段階は、前記シャッタメガネをスキャニング方式によって、前記シャッタメガネを開放する段階を含んでもよい。
【００２５】
前記技術的課題を解決するための本発明のさらに他の実施形態によって、三次元映像表示装置は、ディスプレイパネルと、前記ディスプレイパネルに三次元映像の左映像及び右映像を出力するディスプレイパネル制御部と、前記左映像または右映像だけ表示される区間の間、バックライトを点灯するバックライト制御部と、を含む。
【００２６】
前記技術的課題を解決するための本発明のさらに他の実施形態によって、三次元映像の左映像のためのシャッタメガネ及び右映像のためのシャッタメガネを具備したシャッタメガネを制御する装置は、ディスプレイパネルと、前記ディスプレイパネルに三次元映像の左映像及び右映像を出力するディスプレイパネル制御部と、前記左映像または右映像だけ表示される区間の間、両サイド・シャッタメガネを開放するシャッタメガネ制御部と、を含む。
【００２７】
前記技術的課題を解決するための本発明のさらに他の実施形態によって、二次元映像表示方法は、１対の右映像及び左映像を含む三次元映像を入力される段階と、前記三次元映像をディスプレイパネル上にディスプレイする段階と、前記ディスプレイパネルのバックライトを制御する段階と、を含み、前記バックライトを制御することにより、前記右映像がディスプレイされるとき、前記バックライトが点灯され、前記左映像がディスプレイされるとき、前記バックライトが消灯されるか、あるいは前記左映像がディスプレイされるとき、前記バックライトが点灯され、前記右映像がディスプレイされるとき、前記バックライトが消灯される。
【００２８】
前記技術的課題を解決するための本発明のさらに他の実施形態によって、二次元映像表示方法は、１対の右映像及び左映像を含む三次元映像を入力される段階と、前記三次元映像をディスプレイパネル上にディスプレイする段階と、ユーザのシャッタメガネを制御する段階と、を含み、前記シャッタを制御することにより、前記シャッタは、右映像がディスプレイされるときのみに開放され、左映像がディスプレイされるときに閉じられるか、あるいは前記シャッタは、左映像がディスプレイされるときのみに開放され、右映像がディスプレイされるときに閉じられる。
【図面の簡単な説明】
【００２９】
【図１】本発明の一実施形態による、三次元映像を二次元映像のように視聴することができるように、バックライトの点滅を制御する三次元映像表示装置のブロック・ダイアグラムである。
【図２】図１に図示された三次元映像表示装置の具体的なブロック・ダイアグラムである。
【図３】三次元映像を二次元映像のように視聴することができるように、バックライトの点滅を制御する実施形態に係わるタイミング図である。
【図４】三次元映像を二次元映像のように視聴することができるように、バックライトの点滅を制御する実施形態に係わるタイミング図である。
【図５】三次元映像を二次元映像のように視聴することができるように、バックライトの点滅を制御する実施形態に係わるタイミング図である。
【図６Ａ】三次元映像を二次元映像のように視聴することができるように、バックライトの点滅を制御する実施形態に係わるタイミング図である。
【図６Ｂ】三次元映像を二次元映像のように視聴することができるように、バックライトの点滅を制御する実施形態に係わるタイミング図である。
【図６Ｃ】三次元映像を二次元映像のように視聴することができるように、バックライトの点滅を制御する実施形態に係わるタイミング図である。
【図７】三次元映像を二次元映像のように視聴することができるように、バックライトの点滅を制御する実施形態に係わるタイミング図である。
【図８】三次元映像を二次元映像のように視聴することができるように、バックライトの点滅を制御する実施形態に係わるタイミング図である。
【図９】三次元映像を二次元映像のように視聴することができるように、バックライトの点滅を制御する実施形態に係わるタイミング図である。
【図１０】三次元映像を二次元映像のように視聴することができるように、バックライトの点滅を制御する実施形態に係わるタイミング図である。
【図１１】三次元映像を二次元映像のように視聴することができるように、バックライトの点滅を制御する実施形態に係わるタイミング図である。
【図１２】本発明の一実施形態による、三次元映像を二次元映像のように視聴することができるように、バックライトの点滅を制御する方法に係わるフローチャートである。
【図１３】本発明の一実施形態による、三次元映像を二次元映像のように視聴することができるように、シャッタメガネの開閉を制御する三次元映像表示装置のブロック・ダイアグラムである。
【図１４】図１３に図示された三次元映像表示装置の具体的なブロック・ダイアグラムである。
【図１５】三次元映像を二次元映像のように視聴することができるように、シャッタメガネの開閉を制御する実施形態に係わるタイミング図である。
【図１６】三次元映像を二次元映像のように視聴することができるように、シャッタメガネの開閉を制御する実施形態に係わるタイミング図である。
【図１７】三次元映像を二次元映像のように視聴することができるように、シャッタメガネの開閉を制御する実施形態に係わるタイミング図である。
【図１８Ａ】三次元映像を二次元映像のように視聴することができるように、シャッタメガネの開閉を制御する実施形態に係わるタイミング図である。
【図１８Ｂ】三次元映像を二次元映像のように視聴することができるように、シャッタメガネの開閉を制御する実施形態に係わるタイミング図である。
【図１８Ｃ】三次元映像を二次元映像のように視聴することができるように、シャッタメガネの開閉を制御する実施形態に係わるタイミング図である。
【図１９】三次元映像を二次元映像のように視聴することができるように、シャッタメガネの開閉を制御する実施形態に係わるタイミング図である。
【図２０】三次元映像を二次元映像のように視聴することができるように、シャッタメガネの開閉を制御する実施形態に係わるタイミング図である。
【図２１】三次元映像を二次元映像のように視聴することができるように、シャッタメガネの開閉を制御する実施形態に係わるタイミング図である。
【図２２】三次元映像を二次元映像のように視聴することができるように、シャッタメガネの開閉を制御する実施形態に係わるタイミング図である。
【図２３】三次元映像を二次元映像のように視聴することができるように、シャッタメガネの開閉を制御する実施形態に係わるタイミング図である。
【図２４】本発明の一実施形態による、三次元映像を二次元映像のように視聴することができるように、シャッタメガネの開閉を制御する方法に係わるフローチャートである。
【発明を実施するための形態】
【００３０】
以下、添付された図面を参照しつつ、本発明の望ましい実施形態について説明する。
【００３１】
図１は、本発明の一実施形態による、三次元映像を二次元映像のように視聴することができるように、バックライトの点滅を制御する三次元映像表示装置のブロック・ダイアグラムである。図１の実施形態は、視聴者がシャッタメガネを着用せずに、三次元映像を二次元映像のように視聴することができる方法について説明している。
【００３２】
図１を参照すれば、三次元映像表示装置は、ディスプレイパネル制御部１１０、ディスプレイパネル１２０、バックライト１３０及びバックライト制御部１４０を含む。
【００３３】
図１を参照すれば、ディスプレイパネル制御部１１０は、三次元映像信号の左映像及び右映像を交互に受信し、ディスプレイパネル１２０に出力する。ディスプレイパネル１２０は、ディスプレイパネル制御部１１０から受信する所定の制御信号によって、三次元映像を交互的に出力する。バックライト１３０は、ディスプレイパネル１２０に光源を投射する。バックライト制御部１４０は、ディスプレイパネル制御部１１０または外部から、所定の同期信号を受信する。バックライト制御部１４０は、所定の同期信号によって、バックライト１３０を点灯または消灯する。本発明の一実施形態で、外部から受信した三次元映像の左映像または右映像だけ表示される区間の間、バックライトを点灯する。この場合、左映像または右映像だけ表示される区間でバックライトが点灯されるために、視聴者は、左映像または右映像だけ視聴することができる。従って、視聴者は、三次元映像ソースでも、二次元映像を視聴することができる。
【００３４】
図２は、図１に図示された三次元映像表示装置の具体的なブロック・ダイアグラムである。図２を参照すれば、三次元映像表示装置は、ディスプレイパネル制御部２１０、ディスプレイパネル２２０、バックライト２３０及びバックライト制御部２４０を含み、ディスプレイパネル制御部２１０は、タイミング制御部２１１、ゲート・ドライバ２１２及びデータ・ドライバ２１３を含み、バックライト制御部２４０は、ブリンキング制御部２４１及びバックライト駆動部２４２を含む。
【００３５】
タイミング制御部２１１は、外部から三次元映像信号を受信する。一般的に三次元映像信号は、互いに対応する１対の左映像信号及び右映像信号によって反復的に構成されており、ディスプレイパネル２２０に、左映像及び右映像が交互に出力されることによって、三次元ディスプレイが具現される。本発明の一実施形態で三次元映像は、１フレームの左映像及び右映像が交互に繰り返される映像である。三次元映像が２４０Ｈｚで出力される場合、１対の左映像及び右映像は、４フレームの映像からなってもよい。三次元映像が４８０Ｈｚで出力される場合、１対の左映像及び右映像は、８フレームの映像からなってもよい。また、タイミング制御部は、タイミング制御データであるＳＴＶ（start  vertical）信号及びＣＰＶ（clock  pulse  vertical）信号を生成する。それらは、三次元映像の出力及びバックライトの点灯と関連して、同期信号として使われる。
【００３６】
ゲート・ドライバ２１２は、タイミング制御部２１１から受信したＳＴＶ信号またはＣＰＶ信号に応答し、走査選択信号を走査ラインに順次に供給し、データ電圧が供給される水平ラインを選択する。データ・ドライバ２１３は、タイミング制御部２１１から受信した三次元映像データを、当該データラインに供給する。
【００３７】
ディスプレイパネル２２０は、多数のゲートラインと多数のデータラインとがマトリックス状に配列され、ゲートラインとデータラインとが垂直交差する領域に画素を配置し、ゲート・ドライバ２１２及びデータ・ドライバ２１３によって選択された走査ライン及びデータラインに、映像を表示する。現在、ディスプレイパネル２２０としては、ＬＣＤ（liquid  crystal  display）が多用されているが、映像を表示するディスプレイであるならば、その制限はない。
【００３８】
ブリンキング制御部２４１は、タイミング制御部２１１から受信したＳＴＶ信号またはＣＰＶ信号に同期し、バックライト駆動制御信号を生成する。他の実施形態として、外部から垂直同期信号（Ｖ−ｓｙｎｃ）を受信して垂直同期信号に同期し、バックライト駆動制御信号を生成することもできる。バックライト２３０は、スキャニング方式でも駆動される。スキャニング方式とは、バックライト２３０を所定の個数の垂直ブロックに分け、上から下に下がって行くスキャン・タイミングに合わせ、バックライトを点滅する方式である。この場合、図２に図示されていないが、ブリンキング制御部２４１は、スキャニング制御部を意味することもある。ブリンキング制御部２４１で、三次元映像信号によってバックライト駆動制御信号を生成する具体的な実施形態は、図３ないし図１１を参照して後述する。
【００３９】
バックライト駆動部２４２は、ブリンキング制御部２４１から受信したバックライト駆動制御信号を利用し、バックライト駆動信号を出力する。
【００４０】
バックライト２３０は、バックライト駆動部２４２から受信したバックライト駆動信号によって、ディスプレイパネル２２０に光源を投射する。現在、冷陰極蛍光ランプ（ＣＣＦＬ）またはＬＥＤ（light  emitting  diode）からなるバックライトが多用されているが、制限はない。
【００４１】
図３ないし図１１は、本発明の実施形態によるそれぞれのタイミング図を示している。タイミング制御部２１１で生成されるＳＴＶ信号のタイミング図、外部から受信する三次元映像信号の出力周期のタイミング図、及びブリンキング制御部２４１から生成されるバックライト駆動制御信号のタイミング図を示すバックライト点灯周期のタイミング図が図示されている。
【００４２】
図３は、三次元映像を二次元映像のように視聴することができるように、バックライトの点滅を制御する第１実施形態に係わるタイミング図である。図３を参照すれば、同期信号として使われるＳＴＶ信号のタイミング図３１０、ＳＴＶのタイミング図３１０に同期化される、三次元映像信号の出力周期のタイミング図３２０、及びバックライト点灯周期のタイミング図３３０が図示されている。図３のタイミング図３１０，３２０，３３０の横軸は、時間軸である。三次元映像の出力周期のタイミング図３２０の縦軸は、ディスプレイパネルの画面の縦方向を意味する。
【００４３】
三次元映像信号の出力周期のタイミング図３２０を参照すれば、左映像Ｌまたは右映像Ｒの１枚のフレームは、ＳＴＶ信号が２回入力される間、経時的に、画面上端から画面下端に順次に表示される。図３で、三次元映像の互いに対応する１対の左映像及び右映像は、左映像Ｌ、左映像Ｌ、右映像Ｒ、右映像Ｒの順序に４フレームからなる。すなわち、左映像Ｌ、左映像Ｌ、右映像Ｒ、右映像Ｒの４フレームが交互にディスプレイパネルに出力される。２つの左映像ＬＬは、互いに同じ左映像であり、２つの右映像ＲＲも、互いに同じ右映像である。
【００４４】
バックライト点灯周期のタイミング図３３０を参照すれば、ＳＴＶ信号によって、左映像ＬＬだけ出力される区間でのみバックライトが点灯され、右映像ＲＲが出力される区間では、バックライトが消灯される。１対の左映像及び右映像を見るとき、連続する２フレームの左映像ＬＬだけ出力される区間でのみバックライトが点灯され、連続する２フレームの右映像ＲＲが出力される区間では、バックライトが消灯される。左映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００４５】
バックライト点灯信号のパルス間隔（または周波数範囲）は、クロストークの量を調節するために変更され、ディスプレイパネルの応答速度によって、＋，−方向に調節可能である。以下、タイミング図では図示していないが、バックライト点灯信号のパルス間隔は、変更可能であることは言うまでもない。
【００４６】
図３に図示していないが、その反対の場合も可能である。すなわち、右映像ＲＲだけ出力される区間でのみバックライトが点灯され、左映像ＬＬが出力される区間では、バックライトが消灯される場合、視聴者は、右映像だけを視聴することにより、二次元画面のように視聴することができる。
【００４７】
図４は、三次元映像を二次元映像のように視聴することができるように、バックライトの点滅を制御する第２実施形態に係わるタイミング図である。図４を参照すれば、同期信号として使われるＳＴＶ信号のタイミング図４１０、ＳＴＶのタイミング図４１０に同期化される、三次元映像信号の出力周期のタイミング図４２０、及びバックライト点灯周期のタイミング図４３０が図示されている。図４のＳＴＶ信号のタイミング図４１０と、三次元映像信号の出力周期のタイミング図４２０は、図３のＳＴＶ信号のタイミング図３１０及び三次元映像信号の出力周期のタイミング図３２０と同一であるので、その説明を省略する。
【００４８】
バックライト点灯周期のタイミング図４３０を参照すれば、ＳＴＶ信号によって、連続する２つの左映像ＬＬのうち、時間上遅い１つの左映像Ｌだけ出力される区間でのみバックライトが点灯され、その他の映像では、バックライトが消灯される。１対の左映像及び右映像を見るとき、連続する２フレームの左映像ＬＬのうち、時間上遅い１フレームの左映像Ｌだけ出力される区間でのみバックライトが点灯され、連続する２フレームの左映像ＬＬのうち、時間上早い１フレームの左映像Ｌ及び２フレームの右映像ＲＲが出力される区間では、バックライトが消灯される。左映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００４９】
図４に図示していないが、連続する２つの左映像ＬＬのうち、時間上早いある左映像Ｌだけ出力される区間でのみバックライトが点灯され、その他の区間では、バックライトが消灯される実施形態も可能である。この場合にも視聴者は、左映像だけを視聴することができるので、二次元画面のように視聴することができる。また、連続する２つの右映像ＲＲのうち、いずれか１つの右映像だけ出力される区間でのみバックライトが点灯され、その他の区間では、バックライトが消灯される実施形態も可能である。この場合にも視聴者は、右映像だけを視聴することができるので、二次元画面のように視聴することができる。
【００５０】
図５は、三次元映像を二次元映像のように視聴することができるように、バックライトの点滅を制御する第３実施形態に係わるタイミング図である。図５を参照すれば、同期信号として使われるＳＴＶ信号のタイミング図５１０、ＳＴＶのタイミング図５１０に同期化される、三次元映像信号の出力周期のタイミング図５２０、及びバックライト点灯周期のタイミング図５３０が図示されている。図５のＳＴＶ信号のタイミング図５１０は、図３のＳＴＶ信号のタイミング図３１０と同一であるので、その説明を省略する。
【００５１】
図５で、三次元映像の互いに対応する１対の左映像及び右映像は、左映像Ｌ、ブラック映像Ｂ、右映像Ｒ、ブラック映像Ｂの順序に４フレームからなる。すなわち、左映像Ｌ、ブラック映像Ｂ、右映像Ｒ、ブラック映像Ｂの４フレームが交互にディスプレイパネルに出力される。
【００５２】
バックライト点灯周期のタイミング図５３０を参照すれば、ＳＴＶ信号によって、左映像Ｌだけ出力される区間でのみバックライトが点灯され、その他の区間では、バックライトが消灯される。１対の左映像及び右映像を見るとき、１フレームの左映像Ｌだけ出力される区間でのみバックライトが点灯し、２フレームのブラック映像ＢＢ及び１フレームの右映像Ｒが出力される区間では、バックライトが消灯される。左映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００５３】
図５に図示していないが、右映像Ｒだけ出力される区間でのみバックライトが点灯され、その他の区間、すなわち、２つのブラック映像ＢＢ及び左映像Ｌが出力される区間で、バックライトが消灯される実施形態も可能である。この場合に視聴者は、右映像だけを視聴することができるので、二次元画面のように視聴することができる。
【００５４】
図６Ａないし図６Ｃは、三次元映像を二次元映像のように視聴することができるように、バックライトの点滅を制御する第４実施形態に係わるタイミング図である。
【００５５】
図６Ａないし図６Ｃを参照すれば、同期信号として使われるＳＴＶ信号のタイミング図６１０、ＳＴＶのタイミング図６１０に同期化される、三次元映像信号の出力周期のタイミング図６２０、及び３つのバックライト点灯周期のタイミング図６３０，６４０，６５０が図示されている。図６Ａないし図６ＣのＳＴＶ信号のタイミング図６１０は、図３のＳＴＶ信号のタイミング図３１０と同一であるので、その説明を省略する。
【００５６】
図６Ａないし図６Ｃで、三次元映像の互いに対応する１対の左映像及び右映像は、左映像Ｌ、ホールド映像Ｈ、右映像Ｒ、ホールド映像Ｈの順序に４フレームからなる。すなわち、左映像Ｌ、ホールド映像Ｈ、右映像Ｒ、ホールド映像Ｈの４フレームが交互にディスプレイパネルに出力される。ホールド映像は、以前１フレームの左映像または右映像のデータ電圧をそのまま１フレーム間、維持する映像を意味する。
【００５７】
図６Ａのバックライト点灯周期のタイミング図６３０を参照すれば、ＳＴＶ信号によって、左映像Ｌだけ出力される区間でのみバックライトが点灯され、その他の区間では、バックライトは消灯される。１対の左映像及び右映像を見るとき、１フレームの左映像Ｌだけ出力される区間でのみバックライトが点灯され、２フレームのホールド映像ＨＨ及び１フレームの右映像Ｒが出力される区間では、バックライトが消灯される。左映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００５８】
図６Ａに図示していないが、右映像Ｒだけ出力される区間でのみバックライトが点灯され、その他の区間、すなわち、２つのホールド映像ＨＨ及び左映像Ｌが出力される区間では、バックライトが消灯される実施形態も可能である。この場合に視聴者は、右映像だけを視聴することができるので、二次元画面のように視聴することができる。
【００５９】
図６Ｂのバックライト点灯周期のタイミング図６４０を参照すれば、ＳＴＶ信号によって、左映像Ｌ及び連続する左映像Ｌのホールド映像Ｈだけ出力される区間でのみバックライトが点灯され、その他の区間では、バックライトが消灯される。１対の左映像及び右映像を見るとき、１フレームの左映像Ｌ及び連続する左映像Ｌのホールド映像Ｈの１フレームだけ出力される区間でのみバックライトが点灯され、１フレームのホールド映像Ｈ及び１フレームの右映像Ｒが出力される区間では、バックライトが消灯される。左映像及び左映像のホールド映像のみが出力される区間でバックライトが点灯されるために、視聴者は、左映像だけを視聴することができる。従って、たとえ映像ソースが三次元映像であるにしても、視聴者は、二次元画面のように視聴することができる。
【００６０】
図６Ｂに図示していないが、右映像Ｒ及び連続する右映像Ｒのホールド映像Ｈだけ出力される区間でのみバックライトが点灯され、その他の区間、すなわち、左映像Ｌ及び連続する左映像Ｌのホールド映像Ｈが出力される区間では、バックライトが消灯される実施形態も可能である。この場合に視聴者は、右映像だけを視聴することができるので、二次元画面のように視聴することができる。
【００６１】
図６Ｃのバックライト点灯周期のタイミング図６５０を参照すれば、ＳＴＶ信号によって、左映像Ｌのホールド映像Ｈだけ出力される区間でのみバックライトが点灯され、その他の区間では、バックライトが消灯される。１対の左映像及び右映像を見るとき、１フレームの連続する左映像Ｌのホールド映像Ｈの１フレームだけ出力される区間でのみバックライトが点灯され、左映像Ｌ、２フレームの右映像Ｒ及び右映像のホールド映像Ｈが出力される区間では、バックライトが消灯される。左映像のホールド映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００６２】
図６Ｃに図示していないが、右映像Ｒのホールド映像Ｈだけ出力される区間でのみバックライトが点灯され、その他の区間、すなわち、左映像Ｌ、右映像Ｒ及び左映像Ｌのホールド映像Ｈが出力される区間では、バックライトが消灯される実施形態も可能である。この場合に視聴者は、右映像だけを視聴することができるので、二次元画面のように視聴することができる。
【００６３】
図７は、三次元映像を二次元映像のように視聴することができるように、バックライトの点滅を制御する第５実施形態に係わるタイミング図である。図７を参照すれば、同期信号として使われるＳＴＶ信号のタイミング図７１０、ＳＴＶのタイミング図７１０に同期化される、三次元映像信号の出力周期のタイミング図７２０、及びバックライト点灯周期のタイミング図７３０が図示されている。図７のＳＴＶ信号のタイミング図７１０は、図３のＳＴＶ信号のタイミング図３１０と同一であるので、その説明を省略する。
【００６４】
図７で、三次元映像の互いに対応する１対の左映像及び右映像は、左映像Ｌ、左映像Ｌ、左映像Ｌ、右映像Ｒの順序に４フレームからなる。すなわち、左映像Ｌ、左映像Ｌ、左映像Ｌ、右映像Ｒの４フレームが交互にディスプレイパネルに出力される。
【００６５】
バックライト点灯周期のタイミング図７３０を参照すれば、ＳＴＶ信号によって、左映像Ｌだけ出力される区間でのみバックライトが点灯され、その他の区間では、バックライトが消灯される。１対の左映像及び右映像を見るとき、３フレームの左映像ＬＬＬだけ出力される区間でのみバックライトが点灯し、１フレームの右映像Ｒが出力される区間では、バックライトが消灯される。左映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００６６】
図７に図示していないが、３つの左映像ＬＬＬのうち１つまたは２つの左映像ＬまたはＬＬだけ出力される出力される区間でのみバックライトが点灯され、その他の区間では、バックライトが消灯される実施形態も可能である。この場合にも視聴者は、左映像だけを視聴することができるので、二次元画面のように視聴することができる。また、右映像Ｒだけ出力される区間でのみバックライトが点灯され、その他の区間では、バックライトが消灯される実施形態も可能である。この場合にも視聴者は、右映像だけを視聴することができるので、二次元画面のように視聴することができる。
【００６７】
図８は、三次元映像を二次元映像のように視聴することができるように、バックライトの点滅を制御する第６実施形態に係わるタイミング図である。図８を参照すれば、同期信号として使われるＳＴＶ信号のタイミング図８１０、ＳＴＶのタイミング図８１０に同期化される、三次元映像信号の出力周期のタイミング図８２０、及びバックライト点灯周期のタイミング図８３０が図示されている。図８のＳＴＶ信号のタイミング図８１０は、図３のＳＴＶ信号のタイミング図３１０と同一であるので、その説明を省略する。
【００６８】
図８で、三次元映像の互いに対応する１対の左映像及び右映像は、連続する４フレームの左映像ＬＬＬＬ、連続する４フレームの右映像ＲＲＲＲの順序に４フレームからなる。すなわち、左映像Ｌ、左映像Ｌ、左映像Ｌ、左映像Ｌ、右映像Ｒ、右映像Ｒ、右映像Ｒ、右映像Ｒの８フレームが交互にディスプレイパネルに出力される。
【００６９】
バックライト点灯周期のタイミング図８３０を参照すれば、ＳＴＶ信号によって、左映像Ｌだけ出力される区間でのみバックライトが点灯され、その他の区間では、バックライトが消灯される。１対の左映像及び右映像を見るとき、４フレームの左映像ＬＬＬＬだけ出力される区間でのみバックライトが点灯し、４フレームの右映像ＲＲＲＲが出力される区間では、バックライトが消灯される。左映像だけ出力される区間でのみバックライトが点灯されるために、視聴者は、左映像だけを視聴することができる。従って、たとえ映像ソースが三次元映像であるにしても、視聴者は、二次元画面のように視聴することができる。
【００７０】
図８に図示していないが、４左映像ＬＬＬＬのうち１つ、２つまたは３つの左映像Ｌ，ＬＬまたはＬＬＬだけ出力される区間でのみバックライトが点灯され、その他の区間では、バックライトが消灯される実施形態も可能である。この場合にも視聴者は、左映像だけを視聴することができるので、二次元画面のように視聴することができる。また、右映像ＲＲＲＲだけ出力される区間、または４右映像ＲＲＲＲのうち１つ、２つまたは３つの右映像Ｒ，ＲＲまたはＲＲＲの区間でのみバックライトが点灯され、その他の区間では、バックライトが消灯される実施形態も可能である。この場合にも視聴者は、右映像だけを視聴することができるので、二次元画面のように視聴することができる。
【００７１】
図９は、三次元映像を二次元映像のように視聴することができるように、バックライトの点滅を制御する第７実施形態に係わるタイミング図である。図９を参照すれば、同期信号として使われるＳＴＶ信号のタイミング図９１０、ＳＴＶのタイミング図９１０に同期化される、三次元映像信号の出力周期のタイミング図９２０、及びバックライト点灯周期のタイミング図９３０，９４０が図示されている。図９のＳＴＶ信号のタイミング図９１０及び三次元映像信号の出力周期のタイミング図９２０は、図３のＳＴＶ信号のタイミング図３１０及び三次元映像信号の出力周期のタイミング図３２０と同一であるので、その説明を省略する。
【００７２】
本実施形態でバックライトは、２つのブロックに分けられ、スキャニング方式で動作する。２つのブロックは例示に過ぎず、ブロックの数には制限がない。ブロック１のバックライト点灯周期のタイミング図９３０を参照すれば、連続する２つの左映像ＬＬのうち、時間上早い１つの左映像Ｌだけ出力される区間でのみバックライトのブロック１部分が点灯され、その他の区間では、バックライトが消灯される。ブロック２のバックライト点灯周期のタイミング図９４０を参照すれば、バックライトのブロック１の部分が消灯されるとき、バックライトのブロック２の部分が点灯する。すなわち、連続する２つの左映像ＬＬのうち、時間上遅い１つの左映像Ｌだけ出力される区間でのみバックライトのブロック２の部分が点灯され、その他の区間では、バックライトが消灯される。すなわち、図３のように、連続する２つの左映像ＬＬの区間でのみバックライトが点灯されるのと同じ効果を有する。この場合に視聴者は、左映像だけを視聴することができるので、二次元画面のように視聴することができる。
【００７３】
図９に図示していないが、連続する２つの左映像のうち、いずれか１つの左映像の出力が始まる区間でバックライトのブロック１の部分が点灯され、所定の期間が経過した後で消灯され、その直後、バックライトのブロック２の部分が点灯され、いずれか１つの左映像の出力が満了する区間で、バックライトのブロック２の部分が消灯される実施形態も可能である。また、同じ方法で、左映像ではなく、右映像の場合にのみ、バックライトのブロックが点灯される実施形態も可能である。
【００７４】
図１０は、三次元映像を二次元映像のように視聴することができるように、バックライトの点滅を制御する第８実施形態に係わるタイミング図である。図１０を参照すれば、同期信号として使われるＳＴＶ信号のタイミング図１０１０、ＳＴＶのタイミング図１０１０に同期化される、三次元映像信号の出力周期のタイミング図１０２０、及びバックライト点灯周期のタイミング図１０３０，１０４０が図示されている。図１０のＳＴＶ信号のタイミング図１０１０及び三次元映像信号の出力周期のタイミング図１０２０は、図５のＳＴＶ信号のタイミング図５１０及び三次元映像信号の出力周期のタイミング図５２０と同一であるので、その説明を省略する。
【００７５】
本実施形態でバックライトは、２つのブロックに分けられ、スキャニング方式で動作する。２つのブロックは例示に過ぎず、ブロックの数には制限がない。ブロック１のバックライト点灯周期のタイミング図１０３０を参照すれば、左映像Ｌの出力が始まる区間で、バックライトのブロック１の部分が点灯され、所定の期間が経過した後で消灯され、その直後、バックライトのブロック２の部分が点灯されて左映像の出力が満了する区間で、バックライトのブロック２の部分が消灯される。すなわち、図５のように、連続する２つの左映像ＬＬの区間でのみバックライトが点灯されるのと同じ効果を有する。この場合に視聴者は、左映像だけを視聴することができるので、二次元画面のように視聴することができる。
【００７６】
図１０に図示していないが、同じ方法で、左映像ではなく、右映像の場合にのみ、バックライトのブロックが点灯される実施形態も可能である。
【００７７】
図１１は、三次元映像を二次元映像のように視聴することができるように、バックライトの点滅を制御する第９実施形態に係わるタイミング図である。図１１を参照すれば、同期信号として使われるＳＴＶ信号のタイミング図１１１０、ＳＴＶのタイミング図１１１０に同期化される、三次元映像信号の出力周期のタイミング図１１２０、及びバックライト点灯周期のタイミング図１１３０，１１４０が図示されている。図１１のＳＴＶ信号のタイミング図１１１０及び三次元映像信号の出力周期のタイミング図１１２０は、図６Ａないし図６ＣのＳＴＶ信号のタイミング図６１０、及び三次元映像信号の出力周期のタイミング図６２０と同一であるので、その説明を省略する。
【００７８】
本実施形態でバックライトは、２つのブロックに分けられ、スキャニング方式で動作する。２つのブロックは例示に過ぎず、ブロックの数には制限がない。ブロック１のバックライト点灯周期のタイミング図１１３０を参照すれば、左映像Ｌのホールド映像Ｈの出力が始まる区間で、バックライトのブロック１の部分が点灯され、所定の期間が経過した後で消灯され、その直後、バックライトのブロック２の部分が点灯されて左映像Ｌのホールド映像Ｈの出力が満了する区間で、バックライトのブロック２の部分が消灯される。すなわち、図６Ｃのように、左映像Ｌのホールド映像Ｈが出力される区間でのみバックライトが点灯されるのと同じ効果を有する。この場合に視聴者は、左映像だけを視聴することができるので、二次元画面のように視聴することができる。
【００７９】
図１１に図示していないが、同じ方法で、左映像が出力される区間でのみバックライトのブロックが点灯される実施形態、並びに左映像及び連続する左映像のホールド映像が出力される区間でのみバックライトのブロックが点灯される実施形態も可能である。また、同じ方法で、右映像、または右映像及び右映像のホールド映像が出力される区間でのみバックライトのブロックが点灯される実施形態も可能である。
【００８０】
図１２は、本発明の一実施形態による三次元映像を二次元映像のように視聴することができるように、バックライトの点滅を制御する方法に係わるフローチャートである。図１２の実施形態は、視聴者がシャッタメガネを着用せずに、三次元映像を二次元映像のように視聴することができる方法について説明する。
【００８１】
図１２を参照すれば、段階１２１０で、外部から三次元映像の左映像及び右映像を交互に受信する。一実施形態で、１対の左映像及び右映像は、左映像、直前フレームの左映像と同じ左映像、右映像、直前フレームの右映像と同じ右映像の順序でなされてもよい。一実施形態で、１対の左映像及び右映像は、左映像、ブラック映像、右映像、ブラック映像の順序からなってもよい。一実施形態で、１対の左映像及び右映像は、左映像、ホールド映像、右映像、ホールド映像の順序からなってもよい。このとき、ホールド映像は、直前フレームの映像データ電圧をそのまま維持する映像である。従って、左映像の次のホールド映像は、左映像データ電圧をそのまま維持する映像である。１対の左映像及び右映像は、左映像、ホールド映像、右映像、ホールド映像の順序からなってもよい。一実施形態で、１対の左映像及び右映像は、左映像、同一左映像、同一左映像、右映像の順序からなってもよい。一実施形態として、１対の左映像及び右映像は、８フレームの映像からなってもよい。このとき、１対の左映像は、４フレームの同一左映像であり、１対の右映像は、４フレームの同一右映像からなってもよい。
【００８２】
段階１２２０で、左映像または右映像だけ表示される区間の間、バックライトが点灯する。この場合、左映像または右映像だけディスプレイパネルを介して出力されるので、視聴者は、三次元映像を二次元映像のように視聴することができる。例えば、可視的に左映像だけ出力しようとする場合、左映像だけ出力される区間でバックライトが点灯され、右映像が出力される区間では、バックライトが消灯される。
【００８３】
一実施形態で、１対の左映像または右映像が、左映像、同一左映像、右映像、同一右映像の順序でなされた場合、左映像だけ出力される区間でバックライト点灯することができる。具体的な例としては、２フレームの左映像のうち、いずれか１つの左映像だけ出力される区間、または２フレームの左映像いずれも出力される区間でのみバックライトが点灯されてもよい。もちろん、同じ方法で、右映像の場合にも適用可能である。
【００８４】
一実施形態で、１対の左映像または右映像が、左映像、ブラック映像、右映像、ブラック映像の順序でなされた場合、左映像または右映像だけ出力される区間でバックライトが点灯され、その他では、バックライトが消滅される。
【００８５】
一実施形態で、１対の左映像または右映像が、左映像、ホールド映像、右映像、ホールド映像の順序でなされた場合、左映像及び左映像のホールド映像だけ出力される区間、左映像だけ出力される区間、または左映像のホールド映像だけ出力される区間でバックライトが点灯され、その他では、バックライトが消滅される。もちろん、同じ方法で、右映像の場合にも適用可能である。
【００８６】
一実施形態で、１対の左映像または右映像が、左映像、同一左映像、同一左映像、右映像の順序でなされた場合、少なくとも１つの左映像だけ出力される区間でバックライトが点灯され、その他では、バックライトが消滅される。もちろん、同じ方法で、右映像の場合にも適用可能である。
【００８７】
一実施形態で、１対の左映像または右映像が、４フレームの同一左映像４フレームの同一右映像の順序でなされた場合、少なくとも１つの左映像だけ出力される区間でバックライトが点灯され、その他では、バックライトが消滅される。もちろん、同じ方法で、右映像の場合にも適用可能である。前記の実施形態で、バックライト点滅方法としては、バックライト・スキャニング方式が適用されもする。
【００８８】
図１３は、本発明の他の実施形態による、三次元映像を二次元映像のように視聴することができるように、シャッタメガネ１３６０の左シャッタ及び右シャッタを制御する三次元映像表示装置１３００のブロック・ダイアグラムである。
【００８９】
図１３を参照すれば、三次元映像表示装置１３００は、ディスプレイパネル制御部１３１０、ディスプレイパネル１３２０、バックライト１３３０、バックライト制御部１３４０及びシャッタメガネ制御部１３５０を含む。図１３の実施形態は、視聴者がシャッタメガネを着用し、三次元映像を二次元映像のように視聴することができる方法について説明している。
【００９０】
ディスプレイパネル制御部１３１０、ディスプレイパネル１３２０、バックライト１３３０は、図１のディスプレイパネル制御部１１０、ディスプレイパネル１２０、バックライト１３０と同一であるので、その説明を省略する。
【００９１】
図１３を参照すれば、バックライト制御部１３４０は、ディスプレイパネル制御部１３１０または外部から受信した所定の同期信号によって、バックライト１３３０を点灯する。本発明の一実施形態で、バックライト制御部１３４０は、外部から受信した三次元映像信号の開始点からバックライトを点灯し、終了点までバックライトの点灯を維持する。
【００９２】
シャッタメガネ制御部１３５０は、ディスプレイパネル制御部１１０または外部から受信した所定の同期信号によって、シャッタメガネ１３６０の開閉を制御する。三次元映像信号の左映像または右映像だけ出力される区間で、シャッタメガネ１３６０の左シャッタ及び右シャッタをいずれも開放する。この場合、視聴者は、左映像または右映像だけを視聴することができるので、三次元映像を二次元映像のように視聴することができる。
【００９３】
図１４は、図１３に図示された三次元映像表示装置の具体的なブロック・ダイアグラムである。図１４を参照すれば、三次元映像表示装置は、ディスプレイパネル制御部１４１０、ディスプレイパネル１４２０、バックライト１４３０、バックライト制御部１４４０及びシャッタメガネ制御部１４５０を含み、ディスプレイパネル制御部１４１０は、タイミング制御部１４１１、ゲート・ドライバ１４１２及びデータ・ドライバ１４１３を含み、バックライト制御部１４４０は、ブリンキング制御部１４４１及びバックライト駆動部１４４２を含み、シャッタメガネ１４６０は、シャッタ駆動部１４６１、左シャッタ１４６２及び右シャッタ１４６３を含む。
【００９４】
タイミング制御部１４１１、タイミング制御部１４１１、ゲート・ドライバ１４１２、データ・ドライバ１４１３、ディスプレイパネル１４２０、バックライト１４３０及びバックライト駆動部１４４２は、図２のタイミング制御部２１１、タイミング制御部２１１、ゲート・ドライバ２１２、データ・ドライバ２１３、ディスプレイパネル２２０、バックライト２３０及びバックライト駆動部２４２と同一であるので、その説明を省略する。
【００９５】
ブリンキング制御部１４４１は、外部から受信した三次元映像信号の開始点からバックライトを点灯し、終了点までバックライトの点灯を維持するバックライト駆動制御信号をバックライト駆動部に出力する。バックライト１４３０は、スキャニング方式で駆動されもする。その場合、図１４に図示していないが、ブリンキング制御部１４４１は、スキャニング制御部を意味することもできる。
【００９６】
シャッタメガネ制御部１４５０は、タイミング制御部１４１１から受信したＳＴＶ信号、またはＣＰＶ信号や外部から受信した垂直同期信号によって、シャッタメガネ開閉を制御するシャッタメガネ制御信号を生成する具体的な実施形態は、図１５ないし図２３を参照して後述する。
【００９７】
シャッタメガネ１４６０のシャッタ駆動部１４６１は、三次元映像表示装置１４００のシャッタメガネ制御部１４５０から有線形態または無線形態で、シャッタメガネ制御信号を受信し、そのシャッタメガネ制御信号によって、左シャッタ１４６２及び右シャッタ１４６３に、シャッタ駆動信号を供給する。そのシャッタ駆動信号は、左シャッタ１４６２及び右シャッタ１４６３のライン区間ごとに別途に提供される。左シャッタ１４６２及び右シャッタ１４６３は、シャッタ駆動部１４６０から供給されたシャッタ駆動信号によって、開閉動作を遂行する。
【００９８】
図１５ないし図２３は、本発明の実施形態によるそれぞれのタイミング図を示している。タイミング制御部１４１１で生成されるＳＴＶ信号のタイミング図、外部から受信する三次元映像信号の出力周期のタイミング図、ブリンキング制御部１４４１から生成されるバックライト駆動制御信号のタイミング図、並びにシャッタメガネ制御部１４５０から生成されるシャッタメガネ制御信号を示すシャッタメガネ１４６０の左シャッタ１４６２及び右シャッタ１４６３の開閉周期のタイミング図が図示されている。
【００９９】
図１５は、三次元映像を二次元映像のように視聴することができるように、シャッタメガネの開閉を制御する第１実施形態に係わるタイミング図である。図１５を参照すれば、同期信号として使われるＳＴＶ信号のタイミング図１５１０、ＳＴＶのタイミング図１５１０に同期化される、三次元映像信号の出力周期のタイミング図１５２０、バックライト点灯周期のタイミング図１５３０、並びにシャッタメガネの左シャッタ及び右シャッタの開閉周期のタイミング図１５４０，１５５０が図示されている。図１５のタイミング図１５１０，１５２０，１５３０，１５４０，１５５０の横軸は、時間軸である。三次元映像の出力周期のタイミング図１５２０の縦軸は、ディスプレイパネルの画面の縦方向を意味する。
【０１００】
三次元映像信号の出力周期のタイミング図１５２０を参照すれば、左映像Ｌまたは右映像Ｒの１枚のフレームは、ＳＴＶ信号が２回入力される間、経時的に画面上端から画面下端に順次に表示される。図１５で、三次元映像の互いに対応する１対の左映像及び右映像は、左映像Ｌ、左映像Ｌ、右映像Ｒ、右映像Ｒの順序に４フレームからなる。すなわち、左映像Ｌ、左映像Ｌ、右映像Ｒ、右映像Ｒの４フレームが交互にディスプレイパネルに出力される。２つの左映像ＬＬは、互いに同じ左映像であり、２つの右映像ＲＲも、互いに同じ右映像である。
【０１０１】
バックライト点灯周期のタイミング図１５３０を参照すれば、三次元映像が出力を始めた時点でバックライトが点灯され、三次元映像が出力される期間の間、続けてバックライトは、点灯を維持する。
【０１０２】
シャッタメガネの左シャッタ及び右シャッタの開閉周期のタイミング図１５４０，１５５０を参照すれば、ＳＴＶ信号によって、左映像ＬＬだけ出力される区間でのみ左シャッタ及び右シャッタが開放され、右映像ＲＲが出力される区間では、左シャッタ及び右シャッタが閉鎖される。１対の左映像及び右映像を見るとき、連続する２フレームの左映像ＬＬだけ出力される区間でのみ左シャッタ及び右シャッタが開放され、連続する２フレームの右映像ＲＲが出力される区間では、左シャッタ及び右シャッタが閉鎖される。左映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１０３】
左シャッタ開閉信号及び右シャッタ開閉信号のパルス間隔（または周波数範囲）は、クロストークの量を調節するために変更され、ディスプレイパネルの応答速度によって、＋，−方向に調節可能である。以下、タイミング図では図示していないが、左シャッタ開閉信号及び右シャッタ開閉信号のパルス間隔は、変更可能であることは言うまでもない。
【０１０４】
図１５に図示していないが、その反対の場合も可能である。すなわち、右映像ＲＲだけ出力される区間でのみ左シャッタ及び右シャッタが開放され、左映像ＬＬが出力される区間では、左シャッタ及び右シャッタが閉鎖される場合、視聴者は、右映像だけを視聴することにより、二次元画面のように視聴することができる。
【０１０５】
図１６は、三次元映像を二次元映像のように視聴することができるように、シャッタメガネの開閉を制御する第２実施形態に係わるタイミング図である。図１６を参照すれば、同期信号として使われるＳＴＶ信号のタイミング図１６１０、ＳＴＶのタイミング図１６１０に同期化される、三次元映像信号の出力周期のタイミング図１６２０、バックライト点灯周期のタイミング図１６３０、並びにシャッタメガネの左シャッタ及び右シャッタの開閉周期のタイミング図１６４０，１６５０が図示されている。図１６のＳＴＶ信号のタイミング図１６１０、三次元映像信号の出力周期のタイミング図１６２０、バックライトの点灯周期のタイミング図１６３０は、図１５のＳＴＶ信号のタイミング図１５１０、三次元映像信号の出力周期のタイミング図１５２０及びバックライトの点灯周期のタイミング図１５３０と同一であるので、その説明を省略する。
【０１０６】
シャッタメガネの左シャッタ及び右シャッタの開閉周期のタイミング図１６４０，１６５０を参照すれば、ＳＴＶ信号によって、連続する２つの左映像ＬＬのうち、時間上遅い１つの左映像Ｌだけ出力される区間でのみ左シャッタ及び右シャッタが開放され、その他の映像では、左シャッタ及び右シャッタが閉鎖される。１対の左映像及び右映像を見るとき、連続する２フレームの左映像ＬＬのうち、時間上遅い１フレームの左映像Ｌだけ出力される区間でのみ左シャッタ及び右シャッタが開放され、連続する２フレームの左映像ＬＬのうち、時間上早い１フレームの左映像Ｌ、及び２フレームの右映像ＲＲが出力される区間では、左シャッタ及び右シャッタが閉鎖される。左映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１０７】
図１６に図示していないが、連続する２つの左映像ＬＬのうち、時間上早い１つの左映像Ｌだけ出力される区間でのみ左シャッタ及び右シャッタが開放され、その他の区間では、左シャッタ及び右シャッタが閉鎖される実施形態も可能である。この場合にも視聴者は、左映像だけを視聴することができるので、二次元画面のように視聴することができる。また、連続する２つの右映像ＲＲのうち、いずれか１つの右映像だけ出力される区間でのみ左シャッタ及び右シャッタが開放され、その他の区間では、左シャッタ及び右シャッタが閉鎖される実施形態も可能である。この場合にも視聴者は、右映像だけを視聴することができるので、二次元画面のように視聴することができる。
【０１０８】
図１７は、三次元映像を二次元映像のように視聴することができるように、シャッタメガネの開閉を制御する第３実施形態に係わるタイミング図である。図１７を参照すれば、同期信号として使われるＳＴＶ信号のタイミング図１７１０、ＳＴＶのタイミング図１７１０に同期化される、三次元映像信号の出力周期のタイミング図１７２０、バックライト点灯周期のタイミング図１７３０、並びにシャッタメガネの左シャッタ及び右シャッタの開閉周期のタイミング図１７４０，１７５０が図示されている。図１７のＳＴＶ信号のタイミング図１７１０及びバックライトの点灯周期のタイミング図１７３０は、図１５のＳＴＶ信号のタイミング図１５１０及びバックライトの点灯周期のタイミング図１５３０と同一であるので、その説明を省略する。
【０１０９】
図１７で、三次元映像の互いに対応する１対の左映像及び右映像は、左映像Ｌ、ブラック映像Ｂ、右映像Ｒ、ブラック映像Ｂの順序に４フレームからなる。すなわち、左映像Ｌ、ブラック映像Ｂ、右映像Ｒ、ブラック映像Ｂの４フレームが交互にディスプレイパネルに出力される。
【０１１０】
シャッタメガネの左シャッタ及び右シャッタの開閉周期のタイミング図１７４０，１７５０を参照すれば、ＳＴＶ信号によって、左映像Ｌだけ出力される区間でのみ左シャッタ及び右シャッタが開放され、その他の区間では、左シャッタ及び右シャッタが閉鎖される。１対の左映像及び右映像を見るとき、１フレームの左映像Ｌだけ出力される区間でのみ左シャッタ及び右シャッタが開放され、２フレームのブラック映像ＢＢ及び１フレームの右映像Ｒが出力される区間では、左シャッタ及び右シャッタが閉鎖される。左映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１１１】
図１７に図示していないが、右映像Ｒだけ出力される区間でのみ左シャッタ及び右シャッタが開放され、その他の区間、すなわち、２つのブラック映像ＢＢ及び左映像Ｌが出力される区間では、左シャッタ及び右シャッタが閉鎖される実施形態も可能である。この場合に視聴者は、右映像だけを視聴することができるので、二次元画面のように視聴することができる。
【０１１２】
図１８Ａないし図１８Ｃは、三次元映像を二次元映像のように視聴することができるように、シャッタメガネの開閉を制御する第４実施形態に係わるタイミング図である。
【０１１３】
図１８Ａを参照すれば、同期信号として使われるＳＴＶ信号のタイミング図１８１０、ＳＴＶのタイミング図１８１０に同期化される、三次元映像信号の出力周期のタイミング図１８２０、バックライト点灯周期のタイミング図１８３０、並びにシャッタメガネの左シャッタ及び右シャッタの開閉周期のタイミング図１８４０，１８５０，１８６０，１８７０，１８８０，１８９０が図示されている。図１８Ａないし図１８ＣのＳＴＶ信号のタイミング図１８１０及びバックライトの点灯周期のタイミング図１８３０は、図１５のＳＴＶ信号のタイミング図１５１０及びバックライトの点灯周期のタイミング図１５３０と同一であるので、その説明を省略する。
【０１１４】
図１８Ａないし図１８Ｃで、三次元映像の互いに対応する１対の左映像及び右映像は、左映像Ｌ、ホールド映像Ｈ、右映像Ｒ、ホールド映像Ｈの順序に４フレームからなる。すなわち、左映像Ｌ、ホールド映像Ｈ、右映像Ｒ、ホールド映像Ｈの４フレームが交互にディスプレイパネルに出力される。ホールド映像は、以前１フレームの左映像または右映像データをそのまま１フレーム間、維持する映像を意味する。
【０１１５】
図１８Ａの左シャッタ及び右シャッタの開閉周期のタイミング図１８４０，１８５０を参照すれば、ＳＴＶ信号によって、左映像Ｌだけ出力される区間でのみ左シャッタ及び右シャッタが開放され、その他の区間では、左シャッタ及び右シャッタが閉鎖される。１対の左映像及び右映像を見るとき、１フレームの左映像Ｌだけ出力される区間でのみ左シャッタ及び右シャッタが開放され、２フレームのホールド映像ＨＨ及び１フレームの右映像Ｒが出力される区間では、左シャッタ及び右シャッタが閉鎖される。左映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１１６】
図１８Ａに図示していないが、右映像Ｒだけ出力される区間でのみ左シャッタ及び右シャッタが開放され、その他の区間、すなわち、２つのホールド映像ＨＨ及び左映像Ｌが出力される区間では、左シャッタ及び右シャッタが閉鎖される実施形態も可能である。この場合に視聴者は、右映像だけを視聴することができるので、二次元画面のように視聴することができる。
【０１１７】
図１８Ｂの左シャッタ及び右シャッタの開閉周期のタイミング図１８６０，１８７０を参照すれば、ＳＴＶ信号によって、左映像Ｌ及び連続する左映像Ｌのホールド映像Ｈだけ出力される区間でのみ左シャッタ及び右シャッタが開放され、その他の区間では、左シャッタ及び右シャッタが閉鎖される。１対の左映像及び右映像を見るとき、１フレームの左映像Ｌ及び連続する左映像Ｌのホールド映像Ｈの１フレームだけ出力される区間でのみ左シャッタ及び右シャッタが開放され、１フレームの右映像Ｒ及び連続する右映像Ｒのホールド映像Ｈの１フレームが出力される区間では、左シャッタ及び右シャッタが閉鎖される。左映像及び左映像のホールド映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１１８】
図１８Ｂに図示していないが、右映像Ｒ及び連続する右映像Ｒのホールド映像Ｈだけ出力される区間でのみ左シャッタ及び右シャッタが開放され、その他の区間、すなわち、左映像Ｌ及び連続する左映像Ｌのホールド映像Ｈが出力される区間では、左シャッタ及び右シャッタが閉鎖される実施形態も可能である。この場合に視聴者は、右映像だけを視聴することができるので、二次元画面のように視聴することができる。
【０１１９】
図１８Ｃの左シャッタ及び右シャッタの開閉周期のタイミング図１８８０，１８９０を参照すれば、ＳＴＶ信号によって、左映像Ｌのホールド映像Ｈだけ出力される区間でのみ左シャッタ及び右シャッタが開放され、その他の区間では、左シャッタ及び右シャッタが閉鎖される。１対の左映像及び右映像を見るとき、１フレームの連続する左映像Ｌのホールド映像Ｈの１フレームだけ出力される区間でのみ左シャッタ及び右シャッタが開放され、左映像Ｌ、２フレームの右映像Ｒ及び右映像のホールド映像Ｈが出力される区間では、左シャッタ及び右シャッタが閉鎖される。左映像のホールド映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１２０】
図１８Ｃに図示していないが、左映像Ｌのホールド映像Ｈだけ出力される区間でのみ左シャッタ及び右シャッタが開放され、その他の区間、すなわち、左映像Ｌ、右映像Ｒ及び右映像Ｒのホールド映像Ｈが出力される区間では、左シャッタ及び右シャッタが閉鎖される実施形態も可能である。この場合に視聴者は、右映像だけを視聴することができるので、二次元画面のように視聴することができる。
【０１２１】
図１９は、三次元映像を二次元映像のように視聴することができるように、シャッタメガネの開閉を制御する第５実施形態に係わるタイミング図である。図１９を参照すれば、同期信号として使われるＳＴＶ信号のタイミング図１９１０、ＳＴＶのタイミング図１９１０に同期化される、三次元映像信号の出力周期のタイミング図１９２０、バックライト点灯周期のタイミング図１９３０、並びにシャッタメガネの左シャッタ及び右シャッタの開閉周期のタイミング図１９４０，１９５０が図示されている。図１９のＳＴＶ信号のタイミング図１９１０及びバックライトの点灯周期のタイミング図１９３０は、図１５のＳＴＶ信号のタイミング図１５１０及びバックライトの点灯周期のタイミング図１５３０と同一であるので、その説明を省略する。
【０１２２】
図１９で、三次元映像の互いに対応する１対の左映像及び右映像は、左映像Ｌ、左映像Ｌ、左映像Ｌ、右映像Ｒの順序に４フレームからなる。すなわち、左映像Ｌ、左映像Ｌ、左映像Ｌ、右映像Ｒの４フレームが交互にディスプレイパネルに出力される。
【０１２３】
左シャッタ及び右シャッタの開閉周期のタイミング図１９４０，１９５０を参照すれば、ＳＴＶ信号によって、左映像Ｌだけ出力される区間でのみ左シャッタ及び右シャッタが開放され、その他の区間では、左シャッタ及び右シャッタが閉鎖される。１対の左映像及び右映像を見るとき、３フレームの左映像ＬＬＬだけ出力される区間でのみ左シャッタ及び右シャッタが開放され、１フレームの右映像Ｒが出力される区間では、左シャッタ及び右シャッタが閉鎖される。左映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１２４】
図１９に図示していないが、３つの左映像ＬＬＬのうち１つまたは２つの左映像ＬまたはＬＬだけ出力される出力される区間でのみ左シャッタ及び右シャッタが開放され、その他の区間では、左シャッタ及び右シャッタが閉鎖される実施形態も可能である。この場合にも視聴者は、左映像だけを視聴することとなり、二次元画面のように視聴することができる。また、右映像Ｒだけ出力される区間でのみ左シャッタ及び右シャッタが開放され、その他の区間では、左シャッタ及び右シャッタが閉鎖される実施形態も可能である。この場合にも視聴者は、右映像だけを視聴することとなり、二次元画面のように視聴することができる。
【０１２５】
図２０は、三次元映像を二次元映像のように視聴することができるように、シャッタメガネの開閉を制御する第６実施形態に係わるタイミング図である。図２０を参照すれば、同期信号として使われるＳＴＶ信号のタイミング図２０１０、ＳＴＶのタイミング図２０１０に同期化される、三次元映像信号の出力周期のタイミング図２０２０、バックライト点灯周期のタイミング図２０３０、並びにシャッタメガネの左シャッタ及び右シャッタの開閉周期のタイミング図２０４０，２０５０が図示されている。図２０のＳＴＶ信号のタイミング図２０１０及びバックライトの点灯周期のタイミング図２０３０は、図１５のＳＴＶ信号のタイミング図１５１０及びバックライトの点灯周期のタイミング図１５３０と同一であるので、その説明を省略する。
【０１２６】
図２０で、三次元映像の互いに対応する１対の左映像及び右映像は、連続する４フレームの左映像ＬＬＬＬ、連続する４フレームの右映像ＲＲＲＲの順序に４フレームからなる。すなわち、左映像Ｌ、左映像Ｌ、左映像Ｌ、左映像Ｌ、右映像Ｒ、右映像Ｒ、右映像Ｒ、右映像Ｒの８フレームが交互にディスプレイパネルに出力される。
【０１２７】
左シャッタ及び右シャッタの開閉周期のタイミング図２０４０，２０５０を参照すれば、ＳＴＶ信号によって、左映像Ｌだけ出力される区間でのみ左シャッタ及び右シャッタが開放され、その他の区間では、左シャッタ及び右シャッタが閉鎖される。１対の左映像及び右映像を見るとき、４フレームの左映像ＬＬＬＬだけ出力される区間でのみ左シャッタ及び右シャッタが開放され、４フレームの右映像ＲＲＲＲが出力される区間では、左シャッタ及び右シャッタが閉鎖される。左映像だけ出力される区間でのみ左シャッタ及び右シャッタが開放されるために、視聴者は、左映像だけを視聴することができる。従って、たとえ映像ソースが三次元映像であるにしても、視聴者は、二次元画面のように視聴することができる。
【０１２８】
図２０に図示していないが、４左映像ＬＬＬＬのうち１つ、２つまたは３つの左映像Ｌ，ＬＬまたはＬＬＬだけ出力される区間でのみ左シャッタ及び右シャッタが開放され、その他の区間では、左シャッタ及び右シャッタが閉鎖される実施形態も可能である。この場合にも視聴者は、左映像だけを視聴することができるので、二次元画面のように視聴することができる。また、右映像ＲＲＲＲだけ出力される区間、または４右映像ＲＲＲＲのうち１つ、２つまたは３つの右映像Ｒ，ＲＲまたはＲＲＲの区間でのみ左シャッタ及び右シャッタが開放され、その他の区間では、左シャッタ及び右シャッタが閉鎖される実施形態も可能である。この場合にも視聴者は、右映像だけを視聴することができるので、二次元画面のように視聴することができる。
【０１２９】
図２１は、三次元映像を二次元映像のように視聴することができるように、シャッタメガネの開閉を制御する第７実施形態に係わるタイミング図である。図２１を参照すれば、同期信号として使われるＳＴＶ信号のタイミング図２１１０、ＳＴＶのタイミング図２１１０に同期化される、三次元映像信号の出力周期のタイミング図２１２０、バックライト点灯周期のタイミング図２１３０，２１４０、並びにシャッタメガネの左シャッタ及び右シャッタの開閉周期のタイミング図２１５０，２１６０が図示されている。図２１のＳＴＶ信号のタイミング図２１１０は、図１５のＳＴＶ信号のタイミング図１５１０と同一であるので、その説明を省略する。また図２１の三次元映像信号の出力周期のタイミング図２１２０は、図９の三次元映像信号の出力周期のタイミング図９２０と同一であるので、その説明を省略する。
【０１３０】
本実施形態でバックライトは、２つのブロックに分けられ、スキャニング方式で動作する。２つのブロックは例示に過ぎず、ブロックの数には制限がない。ブロック１のバックライト点灯周期のタイミング図２１３０を参照すれば、連続する２つの左映像ＬＬのうち、時間上早い１つの左映像Ｌだけ出力される区間でのみバックライトのブロック１の部分が点灯され、その他の区間では、バックライトが消灯される。ブロック２のバックライト点灯周期のタイミング図２１４０を参照すれば、バックライトのブロック１の部分が消灯されるとき、バックライトのブロック２の部分が点灯する。すなわち、連続する２つの左映像ＬＬのうち、時間上遅い１つの左映像Ｌだけ出力される区間でのみバックライトのブロック２の部分が点灯され、その他の区間では、バックライトが消灯される。
【０１３１】
左シャッタ及び右シャッタの開閉周期のタイミング図２１５０，２１６０を参照すれば、バックライトのブロック１の部分と、バックライトのブロック２の部分とが点灯される区間で、左シャッタ及び右シャッタが開放され、バックライトのブロックが消灯される区間では、左シャッタ及び右シャッタは閉鎖される。この場合に視聴者は、左映像だけを視聴することができるので、二次元画面のように視聴することができる。
【０１３２】
図２１に図示していないが、連続する２つの左映像のうち、いずれか１つの左映像の出力が始まる区間で、バックライトのブロック１の部分が点灯され、所定の期間が経過した後で消灯され、その直後、バックライトのブロック２の部分が点灯され、いずれか１つの左映像の出力が満了する区間で、バックライトのブロック２の部分が消灯され、このときバックライトのブロックが点灯される区間で、左シャッタ及び右シャッタが開放される実施形態も可能である。また、同じ方法で、左映像ではなく、右映像の場合にのみ、バックライトのブロックが点灯され、このときバックライトのブロックが点灯される区間で、左シャッタ及び右シャッタが開放される実施形態も可能である。
【０１３３】
図２２は、三次元映像を二次元映像のように視聴することができるように、シャッタメガネの開閉を制御する第８実施形態に係わるタイミング図である。図２２を参照すれば、同期信号として使われるＳＴＶ信号のタイミング図２２１０、ＳＴＶのタイミング図２２１０に同期化される、三次元映像信号の出力周期のタイミング図２２２０、バックライト点灯周期のタイミング図２２３０，２２４０、並びにシャッタメガネの左シャッタ及び右シャッタの開閉周期のタイミング図２２５０，２２６０が図示されている。図２２のＳＴＶ信号のタイミング図２２１０は、図１５のＳＴＶ信号のタイミング図１５１０と同一であるので、その説明を省略する。また図２２の三次元映像信号の出力周期のタイミング図２２２０は、図１０の三次元映像信号の出力周期のタイミング図１０２０と同一であるので、その説明を省略する。
【０１３４】
ブロック１のバックライト点灯周期のタイミング図２２３０を参照すれば、左映像Ｌの出力が始まる区間で、バックライトのブロック１の部分が点灯され、所定の期間が経過した後で消灯され、その直後、バックライトのブロック２の部分が点灯されて左映像の出力が満了する区間で、バックライトのブロック２の部分が消灯される。
【０１３５】
左シャッタ及び右シャッタの開閉周期のタイミング図２２５０，２２６０を参照すれば、バックライトのブロック１の部分と、バックライトのブロック２の部分とが点灯される区間で、左シャッタ及び右シャッタが開放され、バックライトのブロックが消灯される区間では、左シャッタ及び右シャッタは閉鎖される。この場合に視聴者は、左映像だけを視聴することとなり、二次元画面のように視聴することができる。
【０１３６】
図２２に図示していないが、同じ方法で、左映像ではなく、右映像の場合にのみ、バックライトのブロックが点灯され、このときバックライトのブロックが点灯される区間で、左シャッタ及び右シャッタが開放される実施形態も可能である。
【０１３７】
図２３は、三次元映像を二次元映像のように視聴することができるように、シャッタメガネの開閉を制御する第９実施形態に係わるタイミング図である。図２３を参照すれば、同期信号として使われるＳＴＶ信号のタイミング図２３１０、ＳＴＶのタイミング図２３１０に同期化される、三次元映像信号の出力周期のタイミング図２３２０、バックライト点灯周期のタイミング図２３３０，２３４０、並びにシャッタメガネの左シャッタ及び右シャッタの開閉周期のタイミング図２３５０，２３６０が図示されている。図２２のＳＴＶ信号のタイミング図２３１０は、図１５のＳＴＶ信号のタイミング図１５１０と同一であるので、その説明を省略する。また、図２３の三次元映像信号の出力周期のタイミング図２３２０は、図１８Ａないし図１８Ｃの三次元映像信号の出力周期のタイミング図１８２０と同一であるので、その説明を省略する。
【０１３８】
ブロック１のバックライト点灯周期のタイミング図２３３０を参照すれば、左映像Ｌのホールド映像Ｈの出力が始まる区間で、バックライトのブロック１の部分が点灯され、所定の期間が経過した後で消灯され、その直後、バックライトのブロック２の部分が点灯されて左映像Ｌのホールド映像Ｈの出力が満了する区間で、バックライトのブロック２の部分が消灯される。
【０１３９】
左シャッタ及び右シャッタの開閉周期のタイミング図２３５０，２３６０を参照すれば、バックライトのブロック１の部分と、バックライトのブロック２の部分とが点灯される区間で、左シャッタ及び右シャッタが開放され、バックライトのブロックが消灯される区間では、左シャッタ及び右シャッタは閉鎖される。この場合に視聴者は、左映像だけを視聴することとなり、二次元画面のように視聴することができる。
【０１４０】
図２３に図示していないが、同じ方法で、左映像が出力される区間でのみバックライトのブロックが点灯され、このときバックライトのブロックが点灯される区間で、左シャッタ及び右シャッタが開放される実施形態と、左映像と、連続する左映像のホールド映像とが出力される区間でのみバックライトのブロックが点灯され、このとき、バックライトのブロックが点灯される区間で、左シャッタ及び右シャッタが開放される実施形態も可能である。また、同じ方法で、右映像、または右映像及び右映像のホールド映像が出力される区間でのみバックライトのブロックが点灯され、このとき、バックライトのブロックが点灯される区間で、左シャッタ及び右シャッタが開放される実施形態も可能である。
【０１４１】
図２４は、本発明の一実施形態による三次元映像を二次元映像のように視聴することができるように、シャッタメガネの開閉を制御する方法に係わるフローチャートである。図２４の実施形態は、視聴者がシャッタメガネを着用し、三次元映像を二次元映像のように視聴することができる方法について説明している。
【０１４２】
図２４を参照すれば、段階２４１０で、外部から三次元映像の左映像及び右映像を交互に受信する。一実施形態で、１対の左映像及び右映像は、左映像、直前フレームの左映像と同じ左映像、右映像、直前フレームの右映像と同じ右映像の順序でなされてもよい。一実施形態で、１対の左映像及び右映像は、左映像、ブラック映像、右映像、ブラック映像の順序からなってもよい。一実施形態で、１対の左映像及び右映像は、左映像、ホールド映像、右映像、ホールド映像の順序からなってもよい。このとき、ホールド映像は、直前フレームの映像データ電圧をそのまま維持する映像である。従って、左映像の次のホールド映像は、左映像データ電圧をそのまま維持する映像である。１対の左映像及び右映像は、左映像、ホールド映像、右映像、ホールド映像の順序からなってもよい。一実施形態で、１対の左映像及び右映像は、左映像、同一左映像、同一左映像、右映像の順序からなってもよい。一実施形態として、１対の左映像及び右映像は、８フレームの映像からなってもよい。このとき、１対の左映像は、４フレームの同一左映像であり、１対の右映像は、４フレームの同一右映像からなってもよい。
【０１４３】
段階２４２０で、左映像または右映像だけ表示される区間の間、シャッタメガネの左シャッタ及び右シャッタいずれも開放される。その場合、左映像または右映像だけ視聴者は視聴でき、三次元映像を二次元映像のように視聴することができる。
【０１４４】
一実施形態で、１対の左映像または右映像が、左映像、同一左映像、右映像、同一右映像の順序でなされた場合、あらゆる映像が出力される区間でバックライト点灯され、左映像または右映像だけ出力される区間で、左シャッタ及び右シャッタが開放されてもよい。具体的な例としては、２フレームの左映像のうち、いずれか１つの左映像だけ出力される区間、または２フレームの左映像いずれも出力される区間でのみ、左シャッタ及び右シャッタが開放されてもよい。もちろん、同じ方法で、右映像の場合にも適用可能である。
【０１４５】
一実施形態で、１対の左映像または右映像が、左映像、ブラック映像、右映像、ブラック映像の順序でなされた場合、あらゆる映像が出力される区間でバックライト点灯され、左映像または右映像だけ出力される区間で、左シャッタ及び右シャッタが開放され、その他では、左シャッタ及び右シャッタが閉鎖されてもよい。
【０１４６】
一実施形態で、１対の左映像または右映像が、左映像、ホールド映像、右映像、ホールド映像の順序でなされた場合、あらゆる映像が出力される区間でバックライト点灯され、左映像及び左映像のホールド映像だけ出力される区間、左映像だけ出力される区間、または左映像のホールド映像だけ出力される区間で、左シャッタ及び右シャッタが開放され、その他では、左シャッタ及び右シャッタが開放されてもよい。もちろん、同じ方法で、右映像の場合にも適用可能である。
【０１４７】
一実施形態で、１対の左映像または右映像が、左映像、同一左映像、同一左映像、右映像の順序でなされた場合、あらゆる映像が出力される区間でバックライト点灯され、少なくとも１つの左映像だけ出力される区間で、左シャッタ及び右シャッタが開放され、その他では、左シャッタ及び右シャッタが閉鎖されてもよい。もちろん、同じ方法で、右映像の場合にも適用可能である。
【０１４８】
一実施形態で、１対の左映像または右映像が、４フレームの同一左映像及び４フレームの同一右映像の順序でなされた場合、あらゆる映像が出力される区間でバックライト点灯され、少なくとも１つの左映像だけ出力される区間で、左シャッタ及び右シャッタが開放され、その他では、左シャッタ及び右シャッタが閉鎖されてもよい。もちろん、同じ方法で、右映像の場合にも適用可能である。前記の実施形態で、バックライト点滅方法としては、バックライト・スキャニング方式が適用されもする。
【０１４９】
前述のような三次元映像表示方法及びシャッタメガネ制御方法はまた、コンピュータで読み取り可能な記録媒体に、コンピュータで読み取り可能なコードとして具現することが可能である。コンピュータで読み取り可能な記録媒体は、コンピュータ・システムによって読み取り可能なデータが保存されるあらゆる種類の記録媒体を含む。コンピュータで読み取り可能な記録媒体の例としては、ＲＯＭ(Read  Only  Memory)、ＲＡＭ（Random  Access  Memory）、ＣＤ（compact  disc）−ＲＯＭ、磁気テープ、フロッピー（登録商標）ディスク、光データ保存装置などがある。また、コンピュータで読み取り可能な記録媒体は、ネットワークに連結されたコンピュータ・システムに分散され、分散方式でコンピュータで読み取り可能なコードが保存されて実行できる。そして、前記実施形態を具現するための機能的な（function）プログラム、コード及びコードセグメントは、本発明が属する技術分野のプログラマらによって容易に推論される。
【０１５０】
以上、本発明についてその望ましい実施形態を中心に説明した。本発明が属する技術分野で当業者であるならば、本発明が本発明の本質的な特性から外れない範囲で変形された形態で具現可能であるということを理解することができるであろう。従って、開示された実施形態は、限定的な観点ではなく、説明的な観点から考慮されねばならない。本発明の範囲は、前述の説明ではなく、特許請求範囲に示されており、それと同等な範囲内にあるあらゆる差異点は、本発明に含まれたものであると解釈されねばならないのである。
【図１】
2013516828.tif 000003
【図２】
2013516828.tif 000004
【図３】
2013516828.tif 000005
【図４】
2013516828.tif 000006
【図５】
2013516828.tif 000007
【図６Ａ】
2013516828.tif 000008
【図６Ｂ】
2013516828.tif 000009
【図６Ｃ】
2013516828.tif 000010
【図７】
2013516828.tif 000011
【図８】
2013516828.tif 000012
【図９】
2013516828.tif 000013
【図１０】
2013516828.tif 000014
【図１１】
2013516828.tif 000015
【図１２】
2013516828.tif 000016
【図１３】
2013516828.tif 000017
【図１４】
2013516828.tif 000018
【図１５】
2013516828.tif 000019
【図１６】
2013516828.tif 000020
【図１７】
2013516828.tif 000021
【図１８Ａ】
2013516828.tif 000022
【図１８Ｂ】
2013516828.tif 000023
【図１８Ｃ】
2013516828.tif 000024
【図１９】
2013516828.tif 000025
【図２０】
2013516828.tif 000026
【図２１】
2013516828.tif 000027
【図２２】
2013516828.tif 000028
【図２３】
2013516828.tif 000029
【図２４】
2013516828.tif 000030
【国際調査報告】
2013516828.tif 000031
2013516828.tif 000032